(57)【特許請求の範囲】
【請求項１】
側方に開放された開断面形状を有して長尺に形成される笠木芯材と、
笠木芯材に形成される被係止部に係止部を係止させ、笠木芯材の側方開口部を長手通しに外部に連通させて笠木芯材に外嵌被覆される笠木材と、
長尺に形成される光源ユニットと、
笠木芯材の側方開口部に固定されて前記光源ユニットを外部を臨む位置に保持する光源ユニット保持部材とを有し、
前記光源ユニットは光源をケースに収容して形成され、
前記光源ユニット保持部材は、側方開口部の幅方向に向き合う弾性脚の一対により前記ケースを挟持して外部を臨む位置に光源を保持するとともに、笠木芯材への固定状態において弾性脚の先端が側方開口部から笠木芯材の外方に突出し、かつ、弾性脚の先端部が側方開口部の幅方向外側に向かって屈曲されて内側から外側に向かって傾斜する傾斜面にされる手すり装置。
【請求項２】
前記光源ユニットの複数を有し、各光源ユニットに給電用の電気配線を接続して形成され、
該電気配線は、
笠木芯材の長手方向に沿って敷設される長尺の幹線部と、
幹線部の配線経路上の異なる位置から分岐して各光源ユニットに接続される支線部とを有する請求項１記載の手すり装置。
【請求項３】
前記光源ユニット保持部材は、各弾性脚を基端側で連結片により連結して断面略コ字形状に形成され、各弾性脚の外側面に膨隆する係合部を笠木芯材の開口端縁に係止させて笠木芯材に固定される請求項１または２記載の手すり装置。
【請求項４】
前記光源ユニット保持部材は、ケースの未挟持状態における側方開口部内への押し込み操作により笠木芯材の開口端縁に押されて近接方向に弾性変形する各弾性脚の離隔方向への弾性復帰力により笠木芯材に仮止め可能で、かつ、弾性脚間への光源ユニットの押し込み操作により各弾性脚を離隔方向に拘束して笠木芯材に固定される請求項３記載の手すり装置。
【発明の詳細な説明】
【技術分野】
【０００１】
本発明は手すり装置に関するものである。
【背景技術】
【０００２】
照明機能を備えた手すり装置としては、従来、特許文献１に記載されたものが知られている。この従来例において、建物用手摺は、略倒コ字状断面に形成された笠木芯材の外周を合成樹脂製のカバー体で被覆して形成され、笠木芯材内に発光ダイオードが所定ピッチで配置される。発光ダイオードの笠木芯材内への設置は、発光ダイオードを内部に収容したケースの上面を笠木芯材の上部天井面部に設けられている溝部に接着嵌合させてなされる。
【先行技術文献】
【特許文献】
【０００３】
【特許文献１】特開２００３-２９３５４１号公報
【発明の開示】
【発明が解決しようとする課題】
【０００４】
しかしながら、上述した従来例は、発光ダイオードを収容したケースを笠木芯材に対して接着してしまうために、以後に発光ダイオードを笠木芯材から取り外すことが困難になることから、メンテナンス性が悪いという欠点がある。
【０００５】
また、接着によることで接着剤の養生期間が必須になるために、施工性も低下してしまう。
【０００６】
さらに、近年、上述した発光ダイオードなどの光源をケースに収容して長尺に形成される光源ユニット自体が一般に流通されはじめてきており、これをそのまま使用できるようにすれば、仮に専用に開発した光源ユニットが用意されるような場合においても、融通性を高めることができるために望ましい。
【０００７】
本発明は以上の欠点を解消すべくなされたものであって、メンテナンス性に優れるともに、施工性を向上させることも可能で、また、光源ユニットの融通性も良好な手すり装置の提供を目的とする。
【課題を解決するための手段】
【０００８】
本発明によれば上記目的は、
側方に開放された開断面形状を有して長尺に形成される笠木芯材１と、
笠木芯材１に形成される被係止部２に係止部３を係止させ、笠木芯材１の側方開口部４を長手通しに外部に連通させて笠木芯材１に外嵌被覆される笠木材５と、
長尺に形成される光源ユニット８と、
笠木芯材１の側方開口部４に固定されて前記光源ユニットを外部を臨む位置に保持する光源ユニット保持部材１０とを有し、
前記光源ユニット８は光源６をケース７に収容して形成され、
前記光源ユニット保持部材１０は、側方開口部４の幅方向に向き合う弾性脚９の一対により前記ケース７を挟持して外部を臨む位置に光源６を保持するとともに、笠木芯材１への固定状態において弾性脚９の先端が側方開口部４から笠木芯材１の外方に突出し、かつ、弾性脚９の先端部が側方開口部４の幅方向外側に向かって屈曲されて内側から外側に向かって傾斜する傾斜面３２にされる手すり装置を提供することにより達成される。
【０００９】
本発明によれば、手すり装置は、笠木芯材１に固定される光源ユニット保持部材１０を有し、光源ユニット８が光源ユニット保持部材１０の弾性脚９の一対により挟持されて笠木芯材１に固定される。したがって弾性脚９を弾性変形させれば光源ユニット８を容易に笠木芯材１から取り外すことができ、光源ユニット８の交換作業等を簡単に行うことができる。また、光源ユニット８は弾性脚９間に押し込むだけで装着することができるため、装着に際して手間がかからない。光源ユニット保持部材１０の笠木芯材１への固定は、例えば上述した従来例のように接着によることも可能であるが、後述するように弾性脚９に形成される係合部１６を笠木芯材１の開口端縁に係止させて取り付けた場合には、施工性を高めることができる。
【００１０】
さらに、上述したように光源ユニット８が光源ユニット保持部材１０で挟持されて笠木芯材１に固定されることにより、光源ユニット８自体を笠木芯材１に係止させる場合のように係止部分を備えた専用構造の光源ユニット８を用意する必要がなくなる。したがって、一般に流通しはじめている汎用の光源ユニット８を使って手すり装置を構成することが可能になり、光源ユニット８の使用の融通性が高められる。
【００１１】
上記光源ユニット保持部材１０は、側方に開放された開断面形状を有して長尺に形成される笠木芯材１の側方開口部４に固定され、この側方開口部４を長手通しに外部に連通させて笠木材５が笠木芯材１に外嵌被覆されることにより、外部に臨む位置に光源６を保持する。このように笠木芯材１に形成された側方開口部４を利用することにより、光源ユニット保持部材１０や光源ユニット８を手すり笠木内に埋設させ、これらが笠木材５の外表面から突出することを防いで手すりの使い勝手を良好に維持することが可能になる。この側方開口部４は、以上のような光源ユニット８の装着のために笠木芯材１に専用に設けられるものでもよいが、手すりブラケット等を連結するために笠木芯材１に設けられているものを流用しても足り、この場合には既存の手すり笠木をそのまま流用して笠木材５の目地を照明源として利用することができる。
【００１２】
以上の光源ユニット保持部材１０は、光源ユニット８を挟持可能な弾性脚９の一対を備えた例えば断面コ字形状に形成することが可能で、例えばゴムなどの弾性に富む材料で一体成形して構成することも可能であるが、弾性脚９のみを弾性材料とし、残余の部分を非弾性材料で構成することも可能である。また、弾性脚９を構成する材料は、弾性脚９の長さや必要とする弾性力などを考慮して適宜決定することが可能である。
【００１３】
さらに、上記光源ユニット８は、設置スペースを考慮すれば、例えば上述した従来例のように光源６としての発光ダイオードを所定ピッチで配置して長尺に構成することが可能である。また、例えばＥＬケーブルなどのエレクトロルミネセンスを利用した光源６により長尺の範囲を連続発光させることも可能である。なお、以上のように光源ユニット８は手すり笠木の長手方向に沿った照明を考慮して長尺に形成されるが、上述した光源ユニット保持部材１０は、長尺の光源ユニット８を良好に保持できれば必ずしも長尺に形成する必要はなく、短尺のものの複数を光源ユニット８の長手方向に沿って所定ピッチで配置しても足りる。
【００１４】
加えて、笠木芯材１に形成される被係止部２に係止部３を係止させて笠木材５が笠木芯材１に外嵌被覆される本発明の手すり装置Ａによれば、笠木材５を笠木芯材１から着脱させることにより、光源ユニット保持部材１０や光源ユニット８の一部を笠木材５によって外面側から覆うことも可能となる。これにより光源ユニット保持部材１０の装着作業性等を良好にしたり、これら光源ユニット保持部材１０等の笠木芯材１からの万一の脱落を笠木材５によって防止することも可能となる。笠木芯材１への笠木材５の外嵌被覆は、例えば、上述した従来例におけるように、略Ｃ字形状断面の開口端縁を内方に折り返して係止部３を形成した笠木材５と、断面略Ｃ字形状であって笠木材５の内壁を支承するために四隅部に支持突部を膨隆させた笠木芯材１とを用意し、笠木芯材１の支持突部を被係止部２として笠木材５の係止部３を係止させることにより行うことができる。
【００１５】
また、上述した光源ユニット保持部材１０は、光源ユニット８を保持するだけでなく、電気配線１１の収容部１２を備えて構成することも可能で、この場合には光源６に給電するための電気配線１１が妄りに外部に露出してしまうことを防ぐことができ、意匠性の低下や断線などを良好に防止することができる。この収容部１２は笠木芯材１の中空部を利用して光源ユニット８の上方に設定することが可能である。以上のように収容部１２を備えることで、電気配線作業と光源ユニット８の装着作業を別個に効率的に行うことも可能になる。
【００１６】
さらに、例えば上述したように笠木芯材１の側方開口部４に手すりブラケット等を連結させるようなときには、手すりブラケット等を挟んで複数の光源ユニット８を配置することにより、手すり装置のほぼ全長に渡る照明を維持することが可能になる。一方、このように光源ユニット８を複数設ける場合には、各光源ユニット８への給電用の電気配線作業が面倒になりやすいが、笠木芯材１の長手方向に沿って敷設される長尺の幹線部１３と、幹線部１３の配線経路上の異なる位置から分岐して各光源ユニット８に接続される支線部１４とを有して上述した電気配線１１を構成すれば、配線作業効率を高めることが可能になる。すなわち、予め手すり笠木のほぼ全長に渡って幹線部１３を敷設した上で、各光源ユニット８の配置に合わせて幹線部１３に対して接続、分岐させた支線部１４を各光源ユニット８に接続すれば、各光源ユニット８の配置に合わせた電気配線１１の面倒な引き込み作業がなくなり、配線作業効率を向上させることができる。
【００１７】
加えて、光源ユニット保持部材１０について、各弾性脚９を基端側で連結片１５により連結して断面略コ字形状に形成し、各弾性脚９の外側面に膨隆する上述した係合部１６を笠木芯材１の開口端縁に係止させて笠木芯材１に固定した場合には、弾性脚９の弾性変形を利用して係合部１６を笠木芯材１の開口端縁に簡単に固定することができ、施工作業性が良好になる。この場合においてさらに、光源ユニット保持部材１０について、ケース７の未挟持状態における側方開口内への押し込み操作により笠木芯材１の開口端縁に押されて近接方向に弾性変形する各弾性脚９の離隔方向への弾性復帰力により笠木芯材１に仮止め可能にしておき、弾性脚９間への光源ユニット８の押し込み操作により各弾性脚９を離隔方向に拘束して笠木芯材１に固定されるようにすれば、光源ユニット８と光源ユニット保持部材１０が別体であることを利用して笠木芯材１への装着作業性をより高めることができる。
なお、本発明によれば、
側方に開放された開断面形状を有して長尺に形成される笠木芯材１と、
笠木芯材１に形成される被係止部２に係止部３を係止させ、笠木芯材１の側方開口部４を長手通しに外部に連通させて笠木芯材１に外嵌被覆される笠木材５と、
光源６をケース７に収容して長尺に形成される光源ユニット８と、
笠木芯材１の側方開口部４に固定され、側方開口部４の幅方向に向き合う弾性脚９の一対により前記ケース７を挟持して外部を臨む位置に光源６を保持する光源ユニット保持部材１０とを有する手すり装置を提供することも可能である。
【発明の効果】
【００１８】
以上の説明から明らかなように、本発明によれば、メンテナンス性に優れるともに、施工性を向上させることも可能で、また、光源ユニットの融通性も良好な手すり装置を提供することができるために、手すり装置に照明機能を良好に付与して夜間等における安全な歩行を実現することができる。
【図面の簡単な説明】
【００１９】
【図１】本発明に係る手すり装置を示す図で、（ａ）は斜視図、（ｂ）は手すり笠木の要部拡大斜視図である。
【図２】手すり装置の分解斜視図である。
【図３】設置状態を示す図で、（ａ）は一部を破断させることにより内部構造を含めて示す正面図、（ｂ）は（ａ）の３Ｂ-３Ｂ線断面図である。
【図４】手すり装置の内部構造を示す図で、（ａ）は図３（ａ）の４Ａ-４Ａ線断面図、（ｂ）は図３（ａ）の４Ｂ-４Ｂ線断面図、（ｃ）は図３（ａ）の４Ｃ-４Ｃ線断面図、である。
【図５】光源ユニットを説明する図で、（ａ）は電気配線を大まかに説明する図、光源ユニットを分解して各構成部品を示した斜視図、（ｃ）は電気配線の大まかな施工図である。
【図６】手すり笠木の施工現場での組み立て手順を説明する図で、（ａ）は光源ユニットの笠木芯材への仮止め作業を示す要部断面図、（ｂ）は笠木材の笠木芯材への被覆作業を示す図、（ｃ）は光源ユニットの装着作業を示す図、（ｄ）は変形例を示す図で、光源ユニットの装着作業を示すものである。
【図７】変形例を示す図で、（ａ）は第１の変形例を示す要部断面図、第２の変形例を示す要部断面図である。
【発明を実施するための最良の形態】
【００２０】
図１ないし図６に本発明に係る手すり装置Ａを示す。この実施の形態において、手すり装置Ａは、手すり笠木２０に手すりブラケット２１を連結して形成され、例えば図１（ａ）に示すように、複数の手すりブラケット２１、２１・・を手すり笠木２０の長手方向に適宜間隔を隔てて連結して形成される。なお、図１においては発明を理解しやすいように２個の手すりブラケット２１、２１が装着されたその一部分を示すが、手すり笠木２０の長さや施工現場の状況などに応じて適数の手すりブラケット２１、２１・・が所定ピッチ等適宜の間隔で装着される。
【００２１】
上記手すり笠木２０は、上述した手すりブラケット２１に連結される笠木芯材１と、この笠木芯材１を被覆する笠木材５とを有する。笠木芯材１は、アルミニウムを押し出し成形して形成され、側方に開放された開断面形状に形成される。具体的には、図１（ｂ）、図２、および図４に示すように、断面略Ｃ字形状に形成され、スリット状の開口部（側方開口部４）により中空部１ａを長手通しに一側方に開放させ、上記開口部４の開口端縁部にリップ部１ｂを備える。また、開口部４に対峙する中空部１ａの内壁面には、開口部４とほぼ同じ幅寸法を有して凹状に形成される取付凹部１ｃが形成され、外壁面の四隅部には、笠木材５を内方から支持する支持突部１ｄが突設される。
【００２２】
笠木材５は、合成樹脂材により形成され、上述した笠木芯材１よりもひとまわり大きい断面略Ｃ字形状を有して上述した笠木芯材１の開口部４に対応する対応開口部５ａを長手通しに備える。この笠木材５は、対応開口部５ａの近傍を内方に折り返して形成される係止部３を備えるとともに、この係止部３の基端から対応開口部５ａに向かって張り出す庇部５ｂを備え、これら係止部３および庇部５ｂが笠木材５の長手通しに形成される。上記庇部５ｂにより、笠木材５の対応開口部５ａは上述した笠木芯材１の開口部４よりもやや幅狭に形成される。
【００２３】
上記手すりブラケット２１は、上述した取付凹部１ｃに先端を嵌合させて笠木芯材１内に挿入される笠木支持片２１ａを有し、図４（ｃ）に示すように、この笠木支持片２１ａがネジ２１ｂにより笠木芯材１に連結される。この手すりブラケット２１は、アルミニウム等の金属により一体形成され、上記笠木支持片２１ａの下方に固定片２１ｃを延設して形成されるブラケット本体２２と、この固定片２１ｃを覆うカバー部材２３とを有し、壁面２４に打ち込まれるアンカーボルト２１ｄを固定片２１ｃに貫通させ、その終端部にナット２１ｅを螺合して壁面２４に固定される。上記ブラケット本体２２は、笠木芯材１の開口部４と同じ程度の幅寸法に形成される笠木支持片２１ａを開口部４の開口端縁に嵌合させて笠木芯材１に連結され、笠木材５の対応開口部５ａを通る部分は対応開口部５ａの幅寸法に応じて幅狭に形成される。また、上記笠木支持片２１ａの先端には、後述する電気配線１１を挿通可能な配線用溝部２１ｆが手すり笠木２０の長手方向に沿って形成される。
【００２４】
したがって手すり装置Ａは、アンカーボルト２１ｄによって壁面２４に適宜間隔で適数の手すりブラケット２１、２１・・を直線状に固定した後、この手すりブラケット２１、２１・・に笠木芯材１をネジ止めし、笠木芯材１に笠木材５を被せることにより、手すり笠木２０を手すりブラケット２１で支持して壁面２４に固定される。笠木材５の笠木芯材１への取り付けは、笠木芯材１の開口部４を跨いで配置される一対の支持突部１ｄ、１ｄにおける、他方の支持突部１ｄと対向する側壁面をそれぞれ被係止部２として、これに係止部３、３をそれぞれ係止させてなされる。
【００２５】
また、以上の手すり笠木２０の端部には、図３（ａ）および（ｂ）に示すように、エンドブラケット２５が装着される。エンドブラケット２５は、手すり利用者が手すり笠木２０の自由端に誤って衝突してしまうような事態を防止するためのもので、合成樹脂材により形成され、いわゆるエルボ管に近似した中空の略筒状に形成される。その一端には、笠木材５の断面方向の外径寸法にほぼ合致する内径寸法の笠木挿入開口２５ａが形成され、この笠木挿入開口２５ａに手すり笠木２０の端部を挿入され、図示省略したタッピングスクリューにより挿入された手すり笠木２０、具体的には笠木芯材１に連結される。
【００２６】
上述した手すり装置Ａの壁面２４への固定状態で、手すりブラケット２１が挿入されない笠木芯材１の開口部４は笠木材５の対応開口部５ａを介して外部に開放される。このようにして手すり笠木２０表面に表れてしまう目地を照明源として有効活用するために、手すり笠木２０には光源ユニット８と光源ユニット保持部材１０が組み込まれる。
【００２７】
光源ユニット８は、プリント基板２６に発光ダイオード（光源６）を実装して形成される光源ユニット本体２７をケース７により覆って形成される。上記光源ユニット本体２７は、図５（ｂ）に示すように、短冊状のフレキシブルプリント基板２６に長手方向に沿って発光ダイオード６を所定ピッチで実装して形成され、プリント基板２６の板厚方向に屈曲可能に形成される。また、発光ダイオード６として表面実装型のチップＬＥＤを使用することにより薄く形成される。このプリント基板２６の長手方向一端側には、陽極側および陰極側の２本のリード線２８、２８がプリント基板２６にプリントされる電気回路に接続されてプリント基板２６から引き出され、これらのリード線２８、２８を給電用の電気配線１１に結線させることにより発光ダイオード６に給電できるようにされる。以上の光源ユニット本体２７は、例えば複数の発光ダイオード６、６・・を並列接続させた回路（図示省略）がプリント基板２６に形成されることにより、プリント基板２６を長手方向の所望の位置で切断して長さ調整しても発光ダイオード６に給電可能な電気回路を維持できるようにされる。
【００２８】
また、上記ケース７は、柔軟性に優れた合成樹脂材により透明に形成され、筒形状に形成されるケース本体２９の両端の開放部２９ａにキャップ３０を被せて形成される。上記ケース本体２９は、上述したプリント基板２６よりもひとまわり大きい矩形断面形状の中空収容部２９ｂを備え、プリント基板２６と同じ程度の長さに形成される。このケース７は薄肉に形成されて断面方向の外形形状が矩形状をなし、また、ニッパーなどで切断しやすく形成される。
【００２９】
一方、キャップ３０は、ケース７の断面方向の外形寸法と近似する内径寸法を備えた有底筒状に形成される。このキャップ３０は上述したケース７両端の開放部２９ａに対応して一対で構成されるが、その一方には、上述したリード線２８を挿通可能な配線用開口３０ａが設けられる。なお、以上の光源ユニット８は、この実施の形態において、株式会社コンテンツ社が市販する商品名「ルーチ・フレックス・アルファ」で構成される。
【００３０】
以上の光源ユニット８は、ケース本体２９に光源ユニット本体２７を挿入し、ケース本体２９両端の開放部２９ａにキャップ３０を被せて形成される。この光源ユニット８は、上述したプリント基板２６の厚さ方向に幅狭に形成され、この幅狭方向において、上述した笠木材５の対応開口部５ａの幅寸法と近似、あるいはこれよりやや小さい寸法を備える。また、上述したリード線２８はキャップ３０の配線用開口３０ａからケース７外部に引き出され、後述するように電気配線１１に接続される。
【００３１】
また、上述した光源ユニット保持部材１０は、図２や図４などに示すように、一対の弾性脚９、９を基端側で連結片１５により連結した断面略コ字形状の長尺に形成され、適宜の弾性を備えた材料、この実施の形態においては塩化ビニル樹脂により一体成形される。上記連結片１５は上述した笠木芯材１の取付凹部１ｃと同じ程度の幅寸法に形成される。また、上記弾性脚９は、連結片１５を笠木芯材１の取付凹部１ｃ内に嵌合させたときに、先端が笠木芯材１の開口部４から外方に突出し、かつ、笠木材５の内壁面５ｃ、具体的には上述した庇部５ｂの内壁面５ｃに接触、あるいは近接する程度の高さに形成される。
【００３２】
さらに、各弾性脚９には、他の弾性脚９と対峙する内側面の高さ方向中間部に突条３１が長手通しに膨隆され、各突条３１は、連結片１５を上述した取付凹部１ｃに嵌合させたときに、他の突条３１との間に適宜の隙間を隔てる突出高さに形成される。また、この突条３１は、弾性脚９の先端部側の側壁部に平滑面３１ａを有し、この平滑面３１ａは、上述したように連結片１５を取付凹部１ｃに嵌合させたときに、笠木芯材１の中空部１ａの開口部４による開放方向に直交する姿勢をとるように形成される。また、上記平滑面３１ａの弾性脚９の高さ方向における位置は、同様に連結片１５を取付凹部１ｃに嵌合させたときに、その笠木材５の対応開口部５ａ側の外縁までの距離が、上述した光源ユニット８における幅狭方向に直交する高さ方向の寸法よりもやや大きくなるように設定される。言い換えれば、上記平滑面３１ａは、該平滑面３１ａに対して光源ユニット８の幅狭面を当接させたときに、この光源ユニット８が笠木材５の外表面から突出しない程度の位置に設定される。
【００３３】
加えて、各弾性脚９の外側面の高さ方向中間部には、係合部１６が長手通しに膨隆される。この係合部１６は、弾性脚９の先端側に行くに従って漸次突出高さを大きくして形成される断面略三角形状からなり、その先端側は、弾性脚９の長手方向に対してほぼ直交する平面にされる。この平面１６は、弾性脚９の高さ方向において、連結片１５を取付凹部１ｃに嵌合させたときに笠木芯材１のリップ部１ｂ、すなわち開口部４の開口端縁に係止する位置に設定される。また、各弾性脚９の上記係合部１６から所定間隔を隔てた先端側は、その厚さをより薄くされて弾性変形しやすくされ、さらに、その先端部は、外側に向かって屈曲され、内側から外側に向かって傾斜する傾斜面３２にされる。加えて、図６（ａ）に示すように、各弾性脚９の先端部近傍の内側面には、断面形状が半円弧状からなる膨隆部３３が長手通しに形成され、膨隆部３３の一対は、上述した光源ユニット８の幅狭方向の寸法よりもやや狭い寸法を隔てて対峙する。
【００３４】
以上の光源ユニット保持部材１０等を手すり笠木２０に組み込むには、上述したように手すりブラケット２１に笠木芯材１を連結した後、笠木材５を被せる前に先ず、図６（ａ）に示すように光源ユニット保持部材１０を笠木材５の開口部４に押し込むことによりなされる。連結片１５を先頭にして開口部４に押し込むと、連結片１５が開口部４とほぼ同じ幅寸法に形成されるためにスムーズに開口部４内に挿入させることが可能であるが、さらに押し込み操作を進めていくと、連結片１５が取付凹部１ｃに嵌合する前に、弾性脚９の係合部１６がリップ部１ｂと接触する。
【００３５】
上述したように係合部１６は先端側に向かって弾性脚９の外側面からの突出量が次第に大きくなるように形成されるために、押し込み操作力は弾性脚９を内側に撓ませる分力を生じさせ、このため、この状態でさらに押し込み操作を進めれば、図６（ａ）に示すようにリップ部１ｂに係合部１６が押されるようにして次第に弾性脚９が内側に撓み、これにより係合部１６が開口部４を通過できるようになる。なお、図６において１１は、後述する電気配線である。
【００３６】
この後さらに連結片１５が取付凹部１ｃに嵌合するまで押し込めば、係合部１６はリップ部１ｂを乗り越えて開口部４を通過し、内側に弾性変形していた弾性脚９は外側に弾性復帰する。図６（ｂ）に示すように、この弾性復帰によって係合部１６はリップ部１ｂの内壁面に係止し、これにより光源ユニット保持部材１０は笠木芯材１に連結される。
【００３７】
一方、光源ユニット８は、以上のようにして光源ユニット保持部材１０が笠木芯材１に連結された後、図６（ｂ）に示すように笠木芯材１に笠木材５を被せ、この状態で笠木材５の対応開口部５ａを介して外部に連通する光源ユニット保持部材１０の弾性脚９の間に押し込まれることにより手すり笠木２０に組み込まれる。上述したように幅狭方向の外形寸法が笠木材５の対応開口部５ａの幅寸法と近似、あるいはこれよりやや小さい寸法を備える上記光源ユニット８は、幅狭方向を笠木材５の対応開口部５ａの幅方向に合わせた姿勢にすることにより対応開口部５ａに挿入、あるいは圧入することができる。なお、この挿入等の前に、光源ユニット８は、予め手すりブラケット２１間の間隔を考慮し、プリント基板２６とケース本体２９をそれぞれニッパー等で切断して長さ調整される。
【００３８】
対応開口部５ａに光源ユニット８を挿入等すると、光源ユニット８は弾性脚９の先端部の傾斜面３２により弾性脚９間にガイドされ、この後さらに膨隆部３３に摺接して弾性脚９をやや外側に撓ませる。この挿入等は、上述した突条３１の平滑面３１ａに挿入先端が当接するまで行うことが可能で、図６（ｃ）に示すように挿入等の完了状態において、光源ユニット８は膨隆部３３を介して弾性脚９に挟持され、その挿入後端が笠木材５の外表面から突出しないようにされる。この状態で、弾性脚９の内側への弾性変形は光源ユニット８により禁止され、したがって係止部１６のリップ部１ｂとの係止解除が禁止されて光源ユニット保持部材１０が笠木芯材１に強固に固定される。
【００３９】
なお、以上においては笠木芯材１に笠木材５を被せた後に光源ユニット８を装着する場合を説明したが、図６（ｄ）に示すように笠木材５を被せる前の笠木芯材１に光源ユニット８を装着し、この後、笠木材５を被せることも可能である。この場合、光源ユニット８は、笠木材５の対応開口部５ａを押し込み操作によって通過できる幅寸法を備える必要はなく、例えば、弾性脚９の膨隆部３３間の寸法をより広げておくことにより、図６（ｄ）に示すよりも幅広の幅寸法を備えたもので構成することもできる。
【００４０】
また、上述した光源ユニット８に給電するために、図３および図５に示すように、電気配線１１が敷設され、手すり笠木２０に電気配線１１が組み込まれる。図５（ａ）に示すように、この実施の形態において光源ユニット８の電源には商用電源が利用され、トランス３４を介して発光ダイオード６に給電可能な適宜電圧の直流に変換されて光源ユニット８に給電される。また、手すりブラケット２１を挟んで複数配置される光源ユニット８は、並列接続されてトランス３４から給電される。
【００４１】
図５（ｃ）は商用電源を天井３５の裏側から壁の裏側に引き込み、この壁の表面（壁面２４）に取り付けられる手すり笠置の光源ユニット８に対し、壁を貫通して敷設される電気配線１１により給電する施工例を示すものである。この施工例においてトランス３４は、天井点検口が配置される位置に合わせた天井３５の裏側に設置され、メンテナンス性が高められる。なお、図５（ｃ）において３６は天井点検口の点検扉、３７は床面、３８は手すりの利用者である。
【００４２】
手すり装置Ａが設置される壁面２４の裏側からの手すり笠木２０内、具体的には笠木芯材１の中空部１ａ内への電気配線１１の引き込みは、図３（ａ）および（ｂ）に示すように、壁面２４に貫通状に開設された貫通開口２４ａを介して、さらにこの貫通開口２４ａからエンドブラケット２５を経由してなされる。なお、図３に示す３９は、壁面２４の裏側にビス等３９ａにより固定される箱状の電気配線中継用のボックスであり、壁面２４の裏側と表側の相互の電気配線１１を結線するために設けられるものである。この電気配線中継用のボックス３９は、壁面２４の表側の電気配線１１の敷設が建築工事としてなされることを考慮して設けられたもので、建築工事段階で壁面２４の表側の電気配線１１の末端を収容しておき、別途行われる電気工事において敷設される壁面２４の裏側の電気配線１１に対して結線しやすいようにするためのものである。
【００４３】
上述した貫通開口２４ａを経由して壁面２４の表側に引き込まれる電気配線１１は、上述したエルボ管近似のエンドブラケット２５の中空部２５ｂを経由して手すり笠木２０内にさらに引き込まれる。このエンドブラケット２５の壁面２４に対峙する一端部には配線挿入口４０ａが開設された厚手のスペーサ４０が嵌合固定され、このスペーサ４０の厚さ方向の一部がエンドブラケット２５の一端部内に嵌合され、その残余がエンドブラケット２５から壁面２４側に突出してエンドブラケット２５と壁面２４との隙間が埋められて電気配線１１が外部に露出しないようにされる。なお、図３（ａ）および（ｂ）において４１は、上述した貫通開口２４ａを壁面２４の表面側で塞ぐためにスペーサ４０と壁面２４との間に配置されるドーナツ形状の目隠し板である。
【００４４】
上述した配線挿入口４０ａを介してエンドブラケット２５から笠木芯材１内に引き込まれた壁面２４の表面側の電気配線１１は、笠木芯材１の長手方向のほぼ全長に敷設される幹線部１３と、この幹線部１３から笠木芯材１の長手方向複数箇所で引き出される支線部１４とを有して構成される。上記幹線部１３の笠木芯材１内への敷設は、上述した配線用溝部２１ｆを挿通されることにより手すりブラケット２１を跨ぐことができるようにされる。この幹線部１３は、光源ユニット保持部材１０の突条３１よりも上方の空間、すなわち光源ユニット８よりも上方のスペースを電気配線１１の収容部１２として機能させることにより、手すり装置Ａの全長に配置される笠木芯材１の長さを活用して、光源ユニット保持部材１０にしっかりと保持されて笠木芯材１内に敷設される。上述した弾性脚９の突条３１間の隙間が幹線部１３の直径よりも小さく設定されることにより、幹線部１３が光源ユニット保持部材１０にしっかりと保持される。
【００４５】
手すりブラケット２１間に配設される光源ユニット８への上記幹線部１３からの給電は、手すりブラケット２１の近傍において上述した幹線部１３から分岐する支線部１４にリード線２８を結線させることによりなされる。上述した光源ユニット保持部材１０は、この実施の形態において光源ユニット８と同じ程度の長さに形成され、また、手すりブラケット２１との間に長手方向に適宜の間隙を設定して配置されて支線部１４の幹線部１３との結線作業をしやすくされる。この支線部１４やリード線２８が手すり笠木２０の外方に垂れ下がってしまうことを防止するために、図３（ａ）や図４（ｂ）に示すように、笠木材５の対応開口部５ａにはチューブ状のゴム等からなる目隠し材４２が圧入される。
【００４６】
したがって手すり装置Ａは、予め笠木芯材１の中空部１ａにほぼ全長に渡って幹線部１３を挿通させておき、この幹線部１３を配線用溝部２１ｆに抱かせるようにして手すりブラケット２１を壁面２４および笠木芯材１に連結することにより壁面２４に固定して設置される。このとき、幹線部１３の末端は電気配線中継用のボックス３９に適宜固定しておく。
【００４７】
次いで、光源ユニット８の配置予定位置に合わせて手すりブラケット２１近傍において幹線部１３から支線部１４を分岐させるとともに、手すりブラケット２１間の幹線部１３を光源ユニット保持部材１０の収容部１２に挿入し、この光源ユニット保持部材１０を笠木芯材１に装着する。この後、笠木芯材１に笠木材５を被せ、支線部１４にリード線２８を結線した光源ユニット８を光源ユニット保持部材１０に装着すれば、光源ユニット８が手すり笠木２０の目地から照明可能に設置される。最後に手すりブラケット２１近傍において笠木材５の対応開口部５ａに目隠し材４２を圧入すれば、建築工事は終了する。
【００４８】
上述したように光源ユニット保持部材１０や光源ユニット８が押し込み操作により装着されるために、従来の手すり装置Ａの設置作業と比べてもあまり作業が困難になることはない。また、手すりブラケット２１間の間隔や数に合わせた光源ユニット８や光源ユニット保持部材１０の長さや数量の調整は、これらの並列接続、およびニッパー等による切断により簡単に行うことができる。
【００４９】
また、上述の建築工事の後、電気工事により、上述したように電気配線中継用のボックス３９に保持された幹線部１３の末端をトランス３４を介して商用電源に接続すれば、全ての作業は終了する。なお、図示省略したが、この電気工事において適宜のスイッチが設置され、光源ユニット８への給電の制御操作ができるようにされる。
【００５０】
したがって商用電源から光源ユニット８に給電すれば、手すり装置Ａは設置状態で下方を向く目地から照明光が床面３７に照射され、手すり装置Ａを利用して歩行したい利用者３８の足下が照明されて歩きやすくなる。上述したように光源ユニット８は手すり笠木２０の下端近傍に近接して配置されるために、その照度を容易に高めることができる。また、照明光により、暗所においても手すり装置Ａの位置や、壁面２４の位置を容易に把握することができる。さらに、光源ユニット８が笠木材５の対応開口部５ａの下端縁よりもやや上方に保持されるために、仮に手すり笠木２０が階段等に設置され、利用者３８が手すり笠木２０を側方から見えるような位置にいるときにも、眩しくなることはない。
【００５１】
使用により発光ダイオード６が消耗したときには、光源ユニット８を光源ユニット保持部材１０から引っ張り出し、リード線２８と支線部１４の結線を解除すれば、光源ユニット８を容易に交換することができる。
【００５２】
なお、上述した実施の形態においては、手すりブラケット２１を介して壁面２４に手すり笠木２０を固定する場合を示したが、手すり笠木２０を壁面２４に直接固定したり、手すりブラケット２１に代えて支柱を用いて床面や地面に固定することも可能である。また、壁面２４と手すり笠木２０との間における電気配線１１の敷設は、上述したエンドブラケット２５に代えて、手すりブラケット２１に電気配線を沿わせるなどして手すりブラケット２１を介したり、あるいは、壁面２４と手すり笠木２０の間に電気配線敷設用の筒状の部材などを設けて行うことも可能である。さらに、光源ユニット８や発光ダイオード６として直列接続の電気回線を介して給電されるものを使用する場合には、長さ調整時に配線作業を行えば足りる。
【００５３】
図７（ａ）に本発明の変形例を示す。なお、この変形例、および後述する他の変形例において、上述した実施の形態と同一の構成要素は同一の符号を付してその説明を省略する。この変形例は断面形状の異なる手すり笠木２０に本発明を適用した場合を示すもので、手すり笠木２０は断面方向の外形が楕円からなるものが使用される。
【００５４】
図７（ｂ）は他の変形例を示すもので、この変形例においては、直径がより大きい手すり笠木２０に対し、光源ユニット保持部材１０の上面に適宜厚さのゴム板等からなる高さ調整部材４３を貼り付けることにより、その高さ変化が吸収される。
【００５５】
以上の変形例ではまた、光源ユニット保持部材１０も、上述した係合部１６の下方に圧接片４４を設けたものが使用される。この圧接片４４は弾性脚９の外側に、弾性脚９の高さ方向に沿って垂下されて形成され、光源ユニット保持部材１０の笠木芯材１への固定状態において、開口部４の開口端縁に圧接し、光源ユニット保持部材１０を笠木芯材１に固定する。これにより弾性脚９の先端側の厚さが薄く、弾性変形しやすい部分をより長尺に形成して光源ユニット８の装着作業性がより良好にされる。
【符号の説明】
【００５６】
１  笠木芯材
２  被係止部
３  係止部
４  側方開口部
５  笠木材
６  光源
７  ケース
８  光源ユニット
９  弾性脚
１０  光源ユニット保持部材
１１  電気配線
１２  収容部
１３  幹線部
１４  支線部
１５  連結片
１６  係合部
【図１】
0005727176.tif 000002
【図２】
0005727176.tif 000003
【図３】
0005727176.tif 000004
【図４】
0005727176.tif 000005
【図５】
0005727176.tif 000006
【図６】
0005727176.tif 000007
【図７】
0005727176.tif 000008